(57)【特許請求の範囲】
【請求項１】
自動取引装置であって、
現金が格納される現金格納部と、
前記自動取引装置の外部に通じ、前記現金格納部が通過する開口部と、
を備え、
前記現金格納部は、前記現金格納部の前記外部への移動方向と反対方向の端部に設けられる遮断部を有する、自動取引装置。
【請求項２】
前記遮断部は、前記現金格納部が前記外部に移動された状態において前記現金格納部から前記開口部の縁に向かうように、立設される、請求項１に記載の自動取引装置。
【請求項３】
前記遮断部は、前記現金格納部が前記外部に移動された状態において前記現金格納部から前記現金が取り出される方向に向かうように、立設される、請求項２に記載の自動取引装置。
【請求項４】
前記遮断部は、前記開口部の縁と接触する、請求項２または３に記載の自動取引装置。
【請求項５】
前記開口部の縁は、前記移動方向と反対方向に突出し、
前記遮断部は、前記開口部の縁の突出される部分と接触する、請求項４に記載の自動取引装置。
【請求項６】
前記遮断部は、前記遮断部の一端が前記現金格納部に固定され、前記一端を中心に回転される、請求項１〜５のいずれか１項に記載の自動取引装置。
【請求項７】
前記遮断部は、前記移動方向に摺動可能なように前記現金格納部に固定される、請求項１〜５のいずれか１項に記載の自動取引装置。
【請求項８】
前記遮断部の前記移動方向と直交する方向の幅は、前記現金格納部の前記移動方向と直交する方向の幅に相当する長さである、請求項１〜７のいずれか１項に記載の自動取引装置。
【請求項９】
前記現金格納部は、前記現金が収納される小箱と、前記小箱を取り外し可能に固定する小箱固定部と、で構成され、
前記遮断部は、前記小箱固定部に設けられる、請求項１〜８のいずれか１項に記載の自動取引装置。
【請求項１０】
前記小箱は、昇降機によって前記小箱固定部に移動され、
前記遮断部は、前記昇降機の昇降方向についての立位状態を維持するように設けられる、請求項９に記載の自動取引装置。
【発明の詳細な説明】
【技術分野】
【０００１】
本発明は、自動取引装置に関する。
【背景技術】
【０００２】
近年、商品の販売またはサービスの提供を行う際に使用される現金を保管する自動取引装置が当該店舗等に設置されるようになっている。それに伴い、ユーザニーズに対応するために、自動取引装置についてユーザの用途に応じた様々な形態または機能が開発されている。
【０００３】
例えば、特許文献１には、出金される硬貨の量に応じて、容量の異なる出金箱に硬貨を排出する硬貨処理装置に係る発明が開示されている。
【先行技術文献】
【特許文献】
【０００４】
【特許文献１】特開２０１３−１２２７４４号公報
【発明の概要】
【発明が解決しようとする課題】
【０００５】
ここで、特許文献１で開示される硬貨処理装置では、出金箱は開口部を通じて装置から引き出され、当該引き出された出金箱から硬貨が取り出される。しかし、出金箱が引き出された状態において、開口部の縁と出金箱との間に隙間が生じ、ユーザが誤って硬貨を落とした場合に、当該隙間から硬貨が装置内部に入り込むおそれがあった。
【０００６】
そこで、本発明は、上記問題に鑑みてなされたものであり、本発明の目的とするところは、装置内部に現金が入り込むことを抑制することが可能な、新規かつ改良された自動取引装置を提供することにある。
【課題を解決するための手段】
【０００７】
上記課題を解決するために、本発明のある観点によれば、自動取引装置であって、現金が格納される現金格納部と、前記自動取引装置の外部に通じ、前記現金格納部が通過する開口部と、を備え、前記現金格納部は、前記現金格納部の前記外部への移動方向と反対方向の端部に設けられる遮断部を有する、自動取引装置が提供される。
【０００８】
また、前記遮断部は、前記現金格納部が前記外部に移動された状態において前記現金格納部から前記開口部の縁に向かうように、立設されてもよい。
【０００９】
また、前記遮断部は、前記現金格納部が前記外部に移動された状態において前記現金格納部から前記現金が取り出される方向に向かうように、立設されてもよい。
【００１０】
また、前記遮断部は、前記開口部の縁と接触してもよい。
【００１１】
また、前記開口部の縁は、前記移動方向と反対方向に突出し、前記遮断部は、前記開口部の縁の突出される部分と接触してもよい。
【００１２】
また、前記遮断部は、前記遮断部の一端が前記現金格納部に固定され、前記一端を中心に回転されてもよい。
【００１３】
また、前記遮断部は、前記移動方向に摺動可能なように前記現金格納部に固定されてもよい。
【００１４】
また、前記遮断部の前記移動方向と直交する方向の幅は、前記現金格納部の前記移動方向と直交する方向の幅に相当する長さであってもよい。
【００１５】
また、前記現金格納部は、前記現金が収納される小箱と、前記小箱を取り外し可能に固定する小箱固定部と、で構成され、前記遮断部は、前記小箱固定部に設けられてもよい。
【００１６】
また、前記小箱は、昇降機によって前記小箱固定部に移動され、前記遮断部は、前記昇降機の昇降方向についての立位状態を維持するように設けられてもよい。
【発明の効果】
【００１７】
以上説明したように本発明によれば、装置内部に現金が入り込むことを抑制することが可能な自動取引装置が提供される。
【図面の簡単な説明】
【００１８】
【図１】本発明の第１の実施形態に係る自動取引装置の概略的な構成例を正面から見た図である。
【図２】本実施形態に係る自動取引装置の概略的な構成例を側面から見た図である。
【図３】本実施形態に係る一時保留部の動作例を説明するための図である。
【図４】本実施形態に係る出金機構の構成例を正面から見た図である。
【図５】本実施形態に係る出金機構の構成例を側面から見た図である。
【図６】本実施形態に係る出金機構の構成例を上面から見た図である。
【図７】本実施形態に係る出金機構の一括小箱の嵌め込み動作の例を示す図である。
【図８】本実施形態に係る出金機構の一括小箱の取り出し動作の例を示す図である。
【図９】本実施形態に係る自動取引装置の出金機構によりもたらされる効果を説明するための図である。
【図１０】本発明の第２の実施形態に係る自動取引装置の出金機構の構成例を正面から見た図である。
【図１１】本実施形態に係る出金機構の構成例を側面から見た図である。
【図１２】本実施形態に係る出金機構の構成例を上面から見た図である。
【図１３】本実施形態に係る出金機構の一括小箱の取り出し動作の例を示す図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明の便宜上、第１および第２の実施形態に係る出金機構１０の各々を、出金機構１０−１、出金機構１０−２のように、末尾に実施形態に対応する番号を付することにより区別する。
【００２０】
＜１．第１の実施形態（回転式遮断部の例）＞
まず、本発明の第１の実施形態に係る自動取引装置１００について説明する。第１の実施形態では、自動取引装置１００の一部を構成する出金機構１０−１に硬貨の侵入を防止する遮断部が回転可能に設けられる。
【００２１】
＜１−１．装置の構成＞
図１および図２を参照して、本発明の第１の実施形態に係る自動取引装置１００の構成について説明する。図１は、本発明の第１の実施形態に係る自動取引装置１００の概略的な構成例を正面から見た図であり、図２は、本発明の第１の実施形態に係る自動取引装置１００の概略的な構成例を側面から見た図である。なお、各図中のＸ軸、Ｙ軸およびＺ軸の矢印の方向を正方向、矢印と反対方向を負方向とも称する。
【００２２】
（自動取引装置全体の構成）
自動取引装置１００は、入金処理および出金処理を行う装置で構成される。具体的には、自動取引装置１００は、図１および図２に示したように、硬貨投入部１０２、硬貨繰り出し部１０４、硬貨認識部１０６、硬貨搬送部１０８、リジェクト硬貨収容部１１０、一時保留部１１２、ガイド１１４、硬貨返却箱１１６、出金ホッパ１１８、硬貨通過箱１２０、前後搬送ベルト１２２、ステージ１２４、上下駆動ベルト１２６、一括小箱１２８および取り出し扉１３０を備える。
【００２３】
硬貨投入部１０２は、自動取引装置１００の内部に硬貨を取り込む。例えば、硬貨投入部１０２は、図１に示したように、Ｚ軸の正方向に向かって開口する開口部を備え、当該開口部を通じて投入される硬貨が自動取引装置１００の内部に取り込まれる。
【００２４】
硬貨繰り出し部１０４は、投入される硬貨を繰り出す。例えば、硬貨繰り出し部１０４は、図１に示したように、硬貨投入部１０２よりも下方すなわちＺ軸の負方向に設けられ、硬貨投入部１０２を通じて投入された硬貨の各々を硬貨認識部１０６に向けて１枚ずつ繰り出す。
【００２５】
硬貨認識部１０６は、硬貨の鑑別を行う。例えば、硬貨認識部１０６は、別途備えられるセンサ等を用いて硬貨の真偽、汚損および金種等を判別し、判別結果に基づいて当該硬貨がリジェクト対象であるかを判定する。例えば、硬貨が偽物である場合、硬貨認識部１０６は、当該硬貨はリジェクト対象であると判定し、硬貨搬送部１０８を通じてリジェクト硬貨収容部１１０に当該硬貨を送る。また、硬貨がリジェクト対象でないと判定される場合、硬貨認識部１０６は、硬貨搬送部１０８を通じて一時保留部１１２に当該硬貨を送る。
【００２６】
また、硬貨認識部１０６は、投入された硬貨の計数を行う。例えば、硬貨認識部１０６は、リジェクト対象でないと判定された硬貨について計数を行い、計数後の硬貨を硬貨搬送部１０８に送る。
【００２７】
硬貨搬送部１０８は、投入された硬貨を搬送する。例えば、硬貨搬送部１０８は、金種別の排出口およびシュートを備え、硬貨認識部１０６から送られる硬貨を当該排出口およびシュートを通じて一時保留部１１２に搬送する。また、硬貨搬送部１０８は、リジェクト口（図示せず。）およびリジェクト用シュート（図示せず。）を備え、硬貨認識部１０６によってリジェクトされた硬貨を当該リジェクト口およびリジェクト用シュートを通じてリジェクト硬貨収容部１１０に搬送する。なお、排出口およびリジェクト口はソレノイドアクチュエータ（図示せず。）等を用いて開閉される。
【００２８】
リジェクト硬貨収容部１１０は、硬貨認識部１０６によってリジェクトされた硬貨を収容する。例えば、リジェクト硬貨収容部１１０は、硬貨認識部１０６によってリジェクト対象であると判定され、硬貨搬送部１０８のリジェクト口およびリジェクト用シュートを通じて搬送される硬貨を収容する。
【００２９】
一時保留部１１２は、投入された硬貨を金種別に保留する。例えば、一時保留部１１２は、図２に示したように、金種毎に区切られた保留スペースを有し、硬貨搬送部１０８によって搬送される硬貨を当該保留スペースに保留する。そして、一時保留部１１２は、保留スペースの各々に保留された硬貨を硬貨返却箱１１６または出金ホッパ１１８に送る。さらに、図３を参照して、本実施形態に係る一時保留部１１２の動作について説明する。図３は、本実施形態に係る一時保留部１１２の動作例を説明するための図である。
【００３０】
まず、一時保留部１１２は、保留スペースに硬貨を保留する。例えば、自動取引装置１００は、図３に示したように、一時保留部１１２の底面にガイド１１４を備え、当該ガイド１１４および一時保留部１１２の仕切りによって保留スペースが形成される。そして、硬貨搬送部１０８によって搬送される硬貨がガイド１１４上に集積される。
【００３１】
次に、一時保留部１１２は、入金処理が終了するまで待機する。例えば、一時保留部１１２に集積される硬貨の数量が予め設定される数量に達した際、または硬貨繰り出し部１０４によって繰り出された全ての硬貨が一時保留部１１２に集積された際に、入金処理が終了する。そして、入金処理の終了後、自動取引装置１００は、別途備えられる表示部に硬貨の計数結果、例えば金種別の金額または合計金額等を表示し、当該計数後の硬貨の収納有無をユーザに選択させる。
【００３２】
次に、一時保留部１１２は、ユーザの選択操作に基づいて、硬貨返却箱１１６または出金ホッパ１１８に向かう方向に移動する。例えば、一時保留部１１２は、ユーザによる硬貨の収納有無の選択操作に基づいて動作する別途備えられるモータ（図示せず。）の回転によって図３に示したようなＨ方向またはＳ方向に移動される。ここで、一時保留部１１２が移動される際、ガイド１１４は移動されない。例えば、ユーザにより硬貨を収納しない旨が選択される場合、一時保留部１１２はＨ方向に移動されるが、ガイド１１４は移動されないことにより、保留スペースの底面がなくなり、当該保留スペースに集積されていた硬貨が落下する。そして、当該落下の方向に設けられる硬貨返却箱１１６に硬貨が集積される。反対に、ユーザにより硬貨の収納が選択される場合、一時保留部１１２がＳ方向に移動され、硬貨は、出金ホッパ１１８に向かって落下し、出金ホッパ１１８に集積される。なお、移動された一時保留部１１２は、モータの逆回転によって元の位置に戻される。
【００３３】
図１または図２を参照して自動取引装置１００の構成の説明に戻ると、硬貨返却箱１１６は、一時保留部１１２から送られる硬貨を集積する。例えば、硬貨返却箱１１６は、一時保留部１１２から落下する硬貨を集積し、自動取引装置１００から引き出される。なお、硬貨返却箱１１６は、処理が終了または停止するまでの間は、ソレノイドアクチュエータ等によって電磁的に施錠される。
【００３４】
出金ホッパ１１８は、一時保留部１１２から送られる硬貨を集積し、また集積される硬貨を出金する。例えば、出金ホッパ１１８は、一時保留部１１２から落下する硬貨を集積し、別途備えられる硬貨繰り出し部を用いて集積される硬貨を硬貨通過箱１２０に向かって繰り出す。なお、当該繰り出し部の動作は、制御部（図示せず。）によって制御される。
【００３５】
硬貨通過箱１２０は、出金ホッパ１１８から繰り出される硬貨を前後搬送ベルト１２２に誘導する。例えば、硬貨通過箱１２０は、図２に示したように、出金ホッパ１１８よりも下方すなわちＺ軸の負方向に設けられ、図１に示したように、出金ホッパ１１８から落下される硬貨が前後搬送ベルト１２２に向かうように壁面を有する。
【００３６】
前後搬送ベルト１２２は、出金ホッパ１１８から落下される硬貨を一括小箱１２８に搬送する。例えば、前後搬送ベルト１２２は、ローラおよびベルトを有し、出金ホッパ１１８から硬貨通過箱１２０を通じて落下される硬貨をベルトで受け止め、ローラの回転によりベルトを動かすことによって落下した硬貨を一括小箱１２８に向かって搬送する。
【００３７】
ステージ１２４は、一括小箱１２８を搭載する。例えば、ステージ１２４は、昇降機の一部として、図１に示したように、一括小箱１２８が載置される台のような装置であり、上下駆動ベルト１２６によって昇降される。また、ステージ１２４は、上昇前の状態において前後搬送ベルトと隣接する位置に設けられる。
【００３８】
上下駆動ベルト１２６は、昇降機の一部として、ステージ１２４を昇降させる。例えば、上下駆動ベルト１２６は、別途昇降機を構成するローラの回転により動作し、ステージ１２４を上下に移動させる。
【００３９】
一括小箱１２８は、出金ホッパ１１８から送られる硬貨を収納する。例えば、一括小箱１２８は、出金ホッパ１１８から落下された硬貨が前後搬送ベルト１２２によって搬送され、前後搬送ベルト１２２の端部に到達した硬貨が落下する先に位置するように設けられる。
【００４０】
取り出し扉１３０は、硬貨が取り出される際に開閉される。例えば、取り出し扉１３０は、上下駆動ベルト１２６の動作によって上方すなわち図２に示すようなＺ軸の正方向に移動された一括小箱１２８の位置に対応する自動取引装置１００の開口部（以下、取り出し開口部とも称する。）を埋めるように設けられ、取り出し開口部は自動取引装置１００の外部に通じる。なお、当該取り出し開口部を通じて硬貨が取り出される。また、取り出し扉１３０は取っ手（図示せず。）を有し、当該取っ手は、ユーザが硬貨を取り出すために取り出し扉を開閉する際に使用される。
【００４１】
なお、以下では、ステージ１２４、一括小箱１２８、取り出し扉１３０および後述するその他構成からなる機構を出金機構１０−１と称する。
【００４２】
（出金機構の構成）
続いて、図４〜図６を参照して、出金機構１０−１の構成について説明する。図４は、本実施形態に係る出金機構１０−１の構成例を正面から見た図であり、図５は、本実施形態に係る出金機構１０−１の構成例を側面から見た図であり、図６は、本実施形態に係る出金機構１０−１の構成例を上面から見た図である。
【００４３】
出金機構１０−１は、取り出し機構および昇降機構で構成される。なお、取り出し機構および当該取り出し機構と連結される昇降機構の一部は自動取引装置１００の外部に引き出されるが、詳細については後述する。
【００４４】
（取り出し機構の構成）
取り出し機構は、図４および図５に示したように、取り出し扉１３０、リミッタ１３２、小箱ホルダブラケット１３４、ホルダ切り替えレバー１３６、回転支点１３８、遮断部１４０およびスライドレール１４２で構成される。
【００４５】
リミッタ１３２は、取り出し開口部の縁の一部として設けられ、遮断部１４０の動作を限定する。具体的には、リミッタ１３２は、一括小箱１２８が引き出される際に、遮断部１４０の一部と接触し、当該遮断部１４０の一部の移動を抑制することによって遮断部１４０を傾斜させる。例えば、リミッタ１３２は、図４に示したように、取り出し扉１３０よりも上方すなわちＺ軸の正方向に設けられ、一括小箱１２８が自動取引装置１００の外部に移動される際に、遮断部１４０と接触する。
【００４６】
なお、リミッタ１３２は、一括小箱１２８の引き出し方向と反対方向に突出し、当該突出される部分において遮断部１４０と接触するように設けられてもよい。例えば、リミッタ１３２は、図５に示したように、取り出し扉１３０の位置する取り出し開口部の縁部分が自動取引装置１００の内部方向すなわちＹ軸の正方向に突出されるように形成され、当該突出部分において遮断部１４０と接触する。この場合、リミッタ１３２との接触によって生じる遮断部１４０の傾斜が、リミッタ１３２が突出されない場合よりも緩くなることにより、落下してきた硬貨が遮断部１４０に衝突した際に、当該硬貨が飛散されにくくすることが可能となる。
【００４７】
小箱ホルダブラケット１３４は、小箱固定部として、昇降機構の一部である一括小箱１２８を取り外し可能に固定する。例えば、小箱ホルダブラケット１３４は、図５に示したように、ホルダ切り替えレバー１３６を備え、図６に示したように、一括小箱１２８を格納可能な空間を有する。そして、小箱ホルダブラケット１３４は、後述する一括小箱１２８の保持ポスト１５０を当該ホルダ切り替えレバー１３６の保持部分に嵌合させることにより、一括小箱１２８を固定する。また、保持ポスト１５０がホルダ切り替えレバー１３６の保持部分から外されることにより、一括小箱１２８が小箱ホルダブラケット１３４から取り外される。
【００４８】
なお、ホルダ切り替えレバー１３６は、所定の姿勢を維持するように動作可能に設けられる。例えば、ホルダ切り替えレバー１３６は、別途スプリングおよびリミタを有し、小箱ホルダブラケット１３４に回転可能に取り付けられ、当該スプリングおよびリミタによって所定の姿勢を維持するように回転し得る。
【００４９】
回転支点１３８は、小箱ホルダブラケット１３４に遮断部１４０を回転可能に取り付ける。例えば、回転支点１３８は、図４に示したように、遮断部１４０のＺ軸の正方向と反対側の端部の両側を小箱ホルダブラケット１３４に取り付ける。
【００５０】
遮断部１４０は、一括小箱１２８が引き出された際に取り出し開口部の縁と小箱ホルダブラケット１３４との間に位置するように設けられる。具体的には、遮断部１４０は、小箱ホルダブラケット１３４の自動取引装置１００の内部方向すなわち一括小箱１２８が引き出される方向と反対方向の端部に設けられる。例えば、図５に示したように、遮断部１４０の一端が小箱ホルダブラケット１３４の後方すなわちＹ軸の正方向の端部に回転支点１３８を用いて取り付けられ、遮断部１４０は、当該一端を中心に回転する。なお、遮断部１４０は、昇降機の昇降方向についての立位状態を維持するように設けられる。例えば、遮断部１４０は、別途スプリングおよびリミタを備え、上下駆動ベルト１２６の回転方向すなわち図５に示したようなＺ軸の正方向に直立した状態に維持され得る。
【００５１】
より具体的には、遮断部１４０は、小箱ホルダブラケット１３４が自動取引装置１００の外部に移動された状態において当該小箱ホルダブラケット１３４から取り出し開口部の縁に向かうように、立設される。例えば、遮断部１４０は、図４に示したように、小箱ホルダブラケット１３４に取り付けられる端部（以下、固定端部とも称する。）の反対側すなわちＺ軸の正方向の端部（以下、可動端部とも称する。）が、取り出し扉１３０の位置する取り出し開口部の縁、例えばリミッタ１３２に向かう方向に位置するように形成され、小箱ホルダブラケット１３４に取り付けられ得る。
【００５２】
さらに、遮断部１４０は、小箱ホルダブラケット１３４が自動取引装置１００の外部に移動された状態において当該小箱ホルダブラケット１３４から硬貨が取り出される方向に向かうように、立設される。例えば、一括小箱１２８を構成する小箱１４４に硬貨が収納され、小箱１４４は小箱ホルダブラケット１３４の内部の空間に格納される。そして、小箱１４４は、ユーザによって小箱ホルダブラケット１３４の上方すなわち図４に示したようなＺ軸の正方向に取り出される。そして、遮断部１４０は、小箱ホルダブラケット１３４から小箱１４４が取り出される方向すなわちＺ軸の正方向に可動端部が位置するように設けられる。
【００５３】
また、遮断部１４０の幅は、小箱ホルダブラケット１３４の幅に相当する長さである。例えば、図４に示したように、遮断部１４０のＸ軸方向の長さは、小箱ホルダブラケット１３４のＸ軸方向の長さに相当し得る。なお、遮断部１４０の幅の長さは、小箱ホルダブラケット１３４の幅の長さよりも長くてもよく、短くてもよい。
【００５４】
スライドレール１４２は、小箱ホルダブラケット１３４を移動可能に自動取引装置１００に取り付ける。例えば、スライドレール１４２は、小箱ホルダブラケット１３４に取り付けられ、取り出し扉１３０が引き出される際に、小箱ホルダブラケット１３４を前後方向すなわちＹ軸方向にスライドされる。
【００５５】
（昇降機構の構成）
また、昇降機構は、図４に示したように、ステージ１２４および一括小箱１２８で構成され、一括小箱１２８は、小箱１４４、小箱ホルダ１４６、切り替えレバー１４８、保持ポスト１５０および回転支点１５２で構成される。
【００５６】
小箱１４４は、現金格納部の一部として、硬貨を収納する。例えば、小箱１４４は、小箱ホルダ１４６に格納され、前後搬送ベルトによって搬送される硬貨を収納する。
【００５７】
小箱ホルダ１４６は、小箱１４４を格納し、一括小箱１２８を小箱ホルダブラケット１３４に嵌め込ませる。具体的には、小箱ホルダ１４６は、切り替えレバー１４８、保持ポスト１５０および回転支点１５２を備え、保持ポスト１５０を取り出し機構のホルダ切り替えレバー１３６の保持部分に挿嵌させることにより、一括小箱１２８を小箱ホルダブラケット１３４に嵌め込ませる。なお、切り替えレバー１４８は、回転支点１５２を用いて小箱ホルダ１４６に回転可能に取り付けられる。また、切り替えレバー１４８は、別途スプリングおよびリミタを備え、上方すなわちＺ軸の正方向に直立した状態に維持され得る。
【００５８】
＜１−２．装置の動作＞
次に、図７および図８を参照して、本実施形態に係る自動取引装置１００の出金機構１０−１の動作について説明する。まず、図７を参照して、一括小箱１２８が小箱ホルダブラケット１３４に嵌め込まれる動作について説明する。図７は、本実施形態に係る出金機構１０−１の一括小箱１２８の嵌め込み動作の例を示す図である。
【００５９】
（一括小箱１２８の嵌め込み動作）
まず、一括小箱１２８は、出金ホッパ１１８から出金される硬貨を収納する。例えば、一括小箱１２８の小箱１４４は、ステージ１２４に載置された状態で、出金ホッパ１１８から落下され前後搬送ベルトによって搬送される硬貨を収納する。
【００６０】
次に、一括小箱１２８は、昇降機によって上昇される。例えば、硬貨の収納が完了した後、図７の左図に示したような一括小箱１２８が載置されたステージ１２４は、上下駆動ベルト１２６の回転により上昇される。
【００６１】
次に、一括小箱１２８は、小箱ホルダブラケット１３４に挿嵌される。例えば、ステージ１２４が上昇され、一括小箱１２８は、小箱ホルダブラケット１３４に到達すると、図７の中左図に示したように、小箱１４４から順に小箱ホルダブラケット１３４の内部の空間に進入する。
【００６２】
そして、保持ポスト１５０とホルダ切り替えレバー１３６とが接触する位置までステージ１２４すなわち一括小箱１２８が上昇された後、当該上昇が継続されると、ホルダ切り替えレバー１３６は、保持ポスト１５０によって上方すなわち図７に示したようなＺ軸方向に押され、回転する。そして、さらに上昇が継続されると、保持ポスト１５０は、図７の中右図に示したように、ホルダ切り替えレバー１３６の前述の保持部分に相当する窪み部分に到達し、スプリングの力によって元の姿勢に戻ろうとするホルダ切り替えレバー１３６に固定される。
【００６３】
次に、ステージ１２４は、一括小箱から離隔する。例えば、ステージ１２４は、保持ポスト１５０がホルダ切り替えレバー１３６に固定された後、下方すなわちＺ軸の負方向に移動し、待機する。
【００６４】
続いて、図８を参照して、一括小箱１２８が自動取引装置１００から引き出される動作について説明する。図８は、本実施形態に係る出金機構１０−１の一括小箱１２８の取り出し動作の例を示す図である。
【００６５】
（一括小箱１２８の取り出し動作）
まず、一括小箱１２８は、ユーザの引き出し操作によって自動取引装置１００の外部に移動される。例えば、ユーザが取り出し扉１３０の取っ手を掴み、当該取っ手を自動取引装置１００の外部に向かって引くことにより、図８の中図に示したように、小箱ホルダブラケット１３４のスライドレール１４２が引き伸ばされ、取り出し機構および小箱ホルダブラケット１３４に嵌め込まれた一括小箱１２８が自動取引装置１００の外部に引き出される。
【００６６】
一括小箱１２８が自動取引装置１００の外部に移動されると、遮断部１４０は取り出し開口部を覆う。例えば、遮断部１４０は、一括小箱１２８の引き出しが継続されると、リミッタ１３２に接触する。そして、リミッタ１３２に接触した後、さらに一括小箱１２８の引き出しが継続されると、遮断部１４０のリミッタ１３２との接触部分は移動されず、遮断部１４０の小箱ホルダブラケット１３４に取り付けられる部分は自動取引装置１００の外部に移動される。これにより、遮断部１４０は、図８の右図に示したように傾斜される。
【００６７】
そして、一括小箱１２８が自動取引装置１００の外部に引き出された後、小箱１４４が取り出される。例えば、一括小箱１２８がスライドレール１４２の伸長可能な距離まで引き出された後、ユーザによって小箱１４４が取り出される。
【００６８】
このように、本発明の第１の実施形態によれば、自動取引装置１００は、現金が格納される現金格納部と、自動取引装置１００の外部に通じ、当該現金格納部が通過する取り出し開口部と、を備える。そして、現金格納部は、当該現金格納部の上記の外部への移動方向と反対方向の端部に設けられる遮断部１４０を有する。このため、現金格納部が自動取引装置１００の外部に引き出された際に取り出し開口部に遮断部１４０が位置することになる。ここで、図９を参照して、本実施形態による効果について説明する。図９は、本実施形態に係る自動取引装置１００の出金機構１０−１によりもたらされる効果を説明するための図である。
【００６９】
図９に示したように、遮断部１４０が小箱ホルダブラケット１３４の後端すなわちＹ軸の正方向に端部に設けられることにより、小箱ホルダブラケット１３４が引き出された際に小箱ホルダブラケット１３４と開口部の縁であるリミッタ１３２等との間に生じる隙間が埋められる。これにより、ユーザが誤って図９に示したように硬貨を当該隙間に向かって落下させた場合であっても、自動取引装置１００の内部に硬貨が入り込むことを防止することが可能となる。
【００７０】
また、遮断部１４０は、上記の現金格納部が外部に移動された状態において現金格納部から取り出し開口部の縁に向かうように、立設される。このため、遮断部１４０が取り出し開口部を覆うように設けられることにより、硬貨が自動取引装置１００の内部に入り込みにくくすることが可能となる。
【００７１】
また、遮断部１４０は、上記の現金格納部が外部に移動された状態において現金格納部から現金が取り出される方向に向かうように、立設される。このため、小箱１４４の取り出し方向から硬貨が落下されやすいことから、当該取り出し方向に遮断部１４０が位置することにより、落下した硬貨が自動取引装置１００の内部に入り込む可能性を低下させることが可能となる。
【００７２】
また、遮断部１４０は、上記の取り出し開口部の縁と接触する。また、遮断部１４０の幅は、現金格納部の幅に相当する長さである。このため、遮断部１４０によって取り出し開口部との間がより広範囲にカバーされることにより、落下した硬貨が自動取引装置１００の内部に入り込む可能性をさらに低下させることが可能となる。
【００７３】
また、遮断部１４０は、当該遮断部１４０の一端が現金格納部に固定され、当該一端を中心に回転される。このため、遮断部１４０の設置状態が変化することにより、出金機構１０−１の動作を妨げることなく、硬貨の入り込みを抑制することが可能となる。
【００７４】
また、現金格納部は、現金が収納される小箱１４４と、小箱１４４を取り外し可能に固定する小箱ホルダブラケット１３４と、で構成され、遮断部１４０は、小箱ホルダブラケット１３４に設けられる。このため、小箱１４４ごと取り出し可能なように構成されることにより、ユーザの硬貨の取り出しを容易にすることが可能となる。
【００７５】
また、小箱１４４は、昇降機によって小箱ホルダブラケット１３４に移動され、遮断部１４０は、昇降機の昇降方向についての立位状態を維持するように設けられる。このため、遮断部１４０が昇降方向に対して交差しにくくなり、その結果、昇降機によって昇降される小箱１４４および昇降機の部材と遮断部１４０との接触を抑制することが可能となる。
【００７６】
＜２．第２の実施形態（スライド式遮断部の例）＞
以上、本発明の第１の実施形態に係る自動取引装置１００および出金機構１０−１について説明した。次に、本発明の第２の実施形態に係る出金機構１０−２について説明する。第２の実施形態では、出金機構１０−２に硬貨の侵入を防止する遮断部が摺動可能に設けられる。
【００７７】
＜２−１．装置の構成＞
まず、図１０〜図１２を参照して、出金機構１０−２の構成について説明する。図１０は、本実施形態に係る出金機構１０−２の構成例を正面から見た図であり、図１１は、本実施形態に係る出金機構１０−２の構成例を側面から見た図であり、図１２は、本実施形態に係る出金機構１０−２の構成例を上面から見た図である。なお、第１の実施形態に係る出金機構１０−１の構成と実質的に同一である構成については説明を省略する。
【００７８】
出金機構１０−２は、図１０に示したように、遮断部１４０の代わりに遮断部１６０を備え、回転支点１３８の代わりにポスト１６２を備える。
【００７９】
遮断部１６０は、一括小箱１２８の移動方向に摺動可能なように小箱ホルダブラケット１３４に固定される。例えば、遮断部１６０は、第１の実施形態に係る遮断部１４０と同様に、小箱ホルダブラケット１３４の自動取引装置１００の内部方向すなわち一括小箱１２８が引き出される方向と反対方向の端部に設けられる。
【００８０】
さらに、遮断部１６０は、図１１に示したように、小箱ホルダブラケット１３４の側面の各々において一括小箱１２８の移動方向すなわちＹ軸方向に延長される腕部分を有し、ポスト１６２によって当該腕部分が小箱ホルダブラケット１３４に取り付けられる。また、当該腕部分の各々は、図１１に示したように、Ｙ軸方向に延長される溝１６３を有し、当該溝１６３にポスト１６２の各々が嵌め込まれる。上面から見ると、遮断部１６０は、図１２に示したように、小箱ホルダブラケット１３４とステージ１２４との間に位置し、小箱ホルダブラケット１３４を囲うように設けられる。
【００８１】
ポスト１６２は、遮断部１６０を小箱ホルダブラケット１３４に取り付ける。例えば、ポスト１６２は、図１１に示したように小箱ホルダブラケット１３４の側面の一側に２つ設けられ、両側面で合計４つ設けられる。なお、同じ側面に取り付けられる２つのポスト１６２は、図１１に示したように、一括小箱１２８の移動方向すなわちＹ軸方向に対して平行に取り付けられ得る。
【００８２】
＜２−２．装置の動作＞
次に、図１３を参照して、本実施形態に係る自動取引装置１００の出金機構１０−２の動作について説明する。図１３は、本実施形態に係る出金機構１０−２の一括小箱１２８の取り出し動作の例を示す図である。なお、出金機構１０−２の一括小箱１２８の嵌め込み動作については第１の実施形態の動作と実質的に同一であるため説明を省略する。
【００８３】
（一括小箱１２８の取り出し動作）
まず、一括小箱１２８は、ユーザの引き出し操作によって自動取引装置１００の外部に移動される。
【００８４】
一括小箱１２８が自動取引装置１００の外部に移動されると、遮断部１６０は取り出し開口部を覆う。例えば、遮断部１６０は、一括小箱１２８の引き出しが継続されると、リミッタ１３２に接触する。そして、リミッタ１３２に接触した後、さらに一括小箱１２８の引き出しが継続されると、遮断部１６０はリミッタ１３２との接触位置に留まり、ポスト１６２の嵌め込まれた腕部分がスライドする。言い換えると、ポスト１６２が遮断部１６０の腕部分をスライドする。これにより、遮断部１６０は、図１３の右図に示したように小箱ホルダブラケット１３４に対して自動取引装置１００の内部方向すなわちＹ軸の正方向に位置することになる。
【００８５】
そして、一括小箱１２８が自動取引装置１００の外部に引き出された後、小箱１４４が取り出される。
【００８６】
このように、本発明の第２の実施形態によれば、遮断部１６０は、一括小箱１２８の移動方向に摺動可能なように小箱ホルダブラケット１３４に固定される。このため、第１の実施形態と異なり、遮断部１６０の態様が一括小箱１２８の引き出し前後において変化されないことにより、遮断部１６０の設計を容易にすることが可能となる。
【００８７】
なお、上記第２の実施形態に係る出金機構１０−２の構成例では、一括小箱１２８が引き出された状態において遮断部１６０と小箱ホルダブラケット１３４との間に隙間が生じ得るが、遮断部１６０は当該隙間を埋める構成を備えていてもよい。例えば、遮断部１６０は、図１３の右図に示したように一括小箱１２８が引き出された状態において、遮断部１６０のリミッタ１３２と接触する板状の部分と、小箱ホルダブラケット１３４との間に折り畳み式、例えば蛇腹式の部材が設けられ得る。この場合、遮断部１６０と小箱ホルダブラケット１３４との間の隙間が塞がれることにより、硬貨が自動取引装置１００の内部に入り込むことをさらに抑制することが可能となる。
【００８８】
＜３．むすび＞
以上、本発明の第１の実施形態によれば、現金格納部が自動取引装置１００の外部に引き出された際に取り出し開口部に遮断部１４０が位置することになる。これにより、ユーザが誤って硬貨を落下させた場合であっても、自動取引装置１００の内部に硬貨が入り込むことを防止することが可能となる。また、本発明の第２の実施形態によれば、第１の実施形態と異なり、遮断部１６０の態様が一括小箱１２８の引き出し前後において変化されないことにより、遮断部１６０の設計を容易にすることが可能となる。
【００８９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９０】
例えば、上記実施形態では、遮断部はリミッタ１３２と接触するとしたが、本発明はかかる例に限定されない。例えば、遮断部はリミッタ１３２と接触せずに引き出されてもよい。
【００９１】
また、上記実施形態では、遮断部は板状である例を説明したが、遮断部は他の形状であってもよい。例えば、遮断部は、球形、円柱、錐形または他の形状であり得る。また、遮断部は、平面部分が格子状または網目状であってもよく、切り欠きを有していてもよい。
【００９２】
また、上記実施形態では、遮断部は１つである例を説明したが、遮断部は複数の遮断部の集合であってもよい。
【００９３】
また、上記実施形態では、遮断部１４０は、図４等に示したように、遮断部１４０の可動端部がリミッタ１３２に向かう方向に位置するように形成される例を説明したが、遮断部１４０は、開口部の他の縁に向かうように立設されてもよい。例えば、Ｘ軸の正方向または負方向の開口部の縁に向かう方向に可動端部が位置し、固定端部は小箱ホルダブラケット１３４のＺ軸方向と平行なの辺または面のうち、他の辺または面よりも可動端部に近い辺または面に固定され得る。
【符号の説明】
【００９４】
１００    自動取引装置
１０２    硬貨投入部
１０４    硬貨繰り出し部
１０６    硬貨認識部
１０８    硬貨搬送部
１１０    リジェクト硬貨収容部
１１２    一時保留部
１１４    ガイド
１１６    硬貨返却箱
１１８    出金ホッパ
１２０    硬貨通過箱
１２２    前後搬送ベルト
１２４    ステージ
１２６    上下駆動ベルト
１２８    一括小箱
１３０    取り出し扉
１３２    リミッタ
１３４    小箱ホルダブラケット
１３６    ホルダ切り替えレバー
１３８    回転支点
１４０、１６０    遮断部
１４２    スライドレール
１４４    小箱
１４６    小箱ホルダ
１４８    切り替えレバー
１５０    保持ポスト
１５２    回転支点
１６２    ポスト
１６３    溝
【図１】
0006365271.tif 000002
【図２】
0006365271.tif 000003
【図３】
0006365271.tif 000004
【図４】
0006365271.tif 000005
【図５】
0006365271.tif 000006
【図６】
0006365271.tif 000007
【図７】
0006365271.tif 000008
【図８】
0006365271.tif 000009
【図９】
0006365271.tif 000010
【図１０】
0006365271.tif 000011
【図１１】
0006365271.tif 000012
【図１２】
0006365271.tif 000013
【図１３】
0006365271.tif 000014